(57)【特許請求の範囲】
【請求項１】
式Ｉ
0003643595.tif 000036
［式中、
Ａは窒素であり、
Ｅは式Ｃ−R1の基であり、ここで、R1は非置換であるかもしくは置換されており、且つエーテル官能基中の１−４個の酸素原子により中断されていてもよいC1−C20−アルキル、非置換であるかもしくは置換されたフェニル、メルカプトまたはC1−C20−アルキルチオであり、
Ｑは式
0003643595.tif 000037
の基であり、ここで
R2は非置換であるかまたは置換されており、且つベンゾ−融合されていてもよい５−又は６−員の炭素環式または複素環式基であり、
R3はエーテル官能基中の酸素原子により中断されていてもよいC1−C4−アルキル、C1−C4−ハロアルキル、または非置換であるフェニルであり、
R4はシアノ、カルバモイル、カルボキシル、C1−C4−アルコキシカルボニルまたはベンゾチアゾリルであり、そして
ＸはCHまたは窒素であり、そして
R5は酸素または式
0003643595.tif 000038
の基であり、
ここで、Ｌは各場合ともエーテル官能基中の１個もしくは２個の酸素原子により中断されていてもよいC1−C8−アルキル、または非置換であるフェニルであり、
但し条件として、Ｑが式
0003643595.tif 000039
の基である時には２個の基ＡおよびＥは互いに交換してもよい］のトリアゾロピリジン染料。
【請求項２】
R4がシアノである、請求の範囲第１項記載のトリアゾロピリジン染料。
【請求項３】
R3がC1−C4−アルキルである、請求の範囲第１項記載のトリアゾロピリジン染料。
【請求項４】
R1が非置換であるかまたはC1−C6−アルカノイルオキシ、アルキル鎖がエーテル官能基中の１個又は２個の酸素原子により中断されていてもよいC1−C8−アルコキシカルボニル、フェニルもしくはC1−C4−アルキルフェニルにより置換されており、且つエーテル官能基中の１もしくは２個の酸素原子により中断されていてもよいC1−C12−アルキル、或いは非置換であるかまたは置換されたフェニルである、請求の範囲第１項記載のトリアゾロピリジン染料。
【請求項５】
R2がベンゼン、インドール、キノリン、アミノナフタレン、ピロール、アミノチアゾール、ベンズイミダゾール、ベンゾチアゾール、アミノチオフェンまたはジアミノピリジン系からの成分より誘導されている、請求の範囲第１項記載のトリアゾロピリジン染料。
【請求項６】
１種もしくはそれ以上の請求の範囲第１項記載の式Ｉトリアゾロピリジン染料を上に有する担体を使用する、エネルギー源の助けによって拡散または昇華により担体からプラスチック−コーテイング紙に染料を転写する方法。
【発明の詳細な説明】
本発明は式Ｉ
0003643595.tif 000002
［式中、
Ａは窒素であり、
Ｅは式Ｃ−R1の基であり、ここでR1は非置換であるかもしくは置換されており、且つエーテル官能基中の１−４個の酸素原子により中断されていてもよいC1−C20−アルキル、非置換であるかもしくは置換されたフェニル、メルカプトまたは非置換であるかもしくは置換されたC1−C20−アルキルチオであり、
Ｑは式
0003643595.tif 000003
の基であり、ここで
R2はベンゾ−融合されていてもよい５−又は６−員の炭素環式または複素環式基であり、
R3はエーテル官能基中の酸素原子により中断されていてもよいC1−C4−アルキル、C1−C4−ハロアルキル、C1−C4−アルコキシカルボニルまたは非置換であるかもしくは置換されたフェニルであり、
R4はシアノ、カルバモイル、カルボキシル、C1−C4−アルコキシカルボニルまたはベンゾチアゾリルであるか、或いはR3およびR4が一緒になって融合ベンゼン環の残部であり、そして
ＸはCHまたは窒素であり、そして
R5は酸素または式
0003643595.tif 000004
の基であり、
ここでＬは各場合ともエーテル官能基中の１個又は２個の酸素原子により中断されていてもよいC1−C8−アルキルであり、
但し条件として、Ｑが式
0003643595.tif 000005
の基である時には２個の基ＡおよびＥは互いに交換してもよい］の新規なトリアゾロピリジン染料、並びにこれらの染料の熱転写法に関する。
US−Ａ  ５  079  365は異なる環系に基づくトリアゾロピリジン染料を開示している。
本発明の目的は異なる化学構造を有する新規トリアゾロピリジン染料を提供することである。それらは製造が容易でなければならない。
我々はこの目的が最初に定義されている式Ｉのトリアゾロピリジン染料により達成されることを見いだした。
式Ｉの染料は複数の互変異性体形で生成することがあり、それらの全てが請求の範囲に包括される。例えば、R3＝メチルでありR5＝酸素である化合物は、とりわけ下記の互変異性体形で生成することがある：
0003643595.tif 000006
R2は非置換であるかまたは置換されており、且つベンゾ融合されていてもよい５−もしくは６−員の炭素環式または複素環式基である。
R2基は、例えば、ベンゼン、インドール、キノリン、アミノナフタレン、ピロール、アミノチアゾール、ベンズイミダゾール、ベンゾチアゾール、アミノチオフェンまたはジアミノピリジン系からの成分より誘導できる。
重要なR2基の例は、式II a−II jのものである：
0003643595.tif 000007
［式中、
ｎは０または１であり、
Z1は水素、エーテル官能基中の１個もしくは２個の酸素原子により中断されていてもよいC1−C8−アルキル、ヒドロキシル、C1−C4−アルコキシ、特にメトキシもしくはエトキシ、ホルミルアミノ、C1−C4−アルキルスルホニルアミノ、C1−C4−モノ−もしくはジアルキルアミノスルホニルアミノまたは基−NHCOZ7もしくは−NHCO2Z7であり、ここでZ7はフェニル、ベンジル、トリルまたはエーテル官能基中の１個もしくは２個の酸素原子により中断されていてもよいC1−C8−アルキルであり、
Z2は水素、C1−C4−アルキル、特にメチル、またはC1−C4−アルコキシ、特にメトキシもしくはエトキシ、であり、
Z3およびZ4は同一もしくは異なり、そして各々が、互いに独立して、水素、非置換であるかもしくは置換されており且つエーテル官能基中の１もしくは２個の酸素原子により中断されていてもよいC1−C8−アルキル、C3−C4−アルケニル、C5−C7−シクロアルキル、非置換であるかもしくは置換されたフェニルであり、或いはそれらを結合する窒素原子と一緒になって、他のヘテロ原子を含有していてもよい５−もしくは６−員の飽和複素環式基であり、
Z5は水素またはC1−C4−アルキル、特にメチルであり、そして
Z6は水素、ハロゲン、C1−C8−アルキル、非置換であるかもしくは置換されたフェニル、非置換であるかもしくは置換されたベンジル、シクロヘキシル、チエニル、ヒドロキシル、C1−C4−アルコキシ、C1−C4−アルキルチオまたはC1−C8−モノアルキルアミノである］。
上記の式に存在する全てのアルキルおよびアルケニル基は直鎖状もしくは分枝鎖状のいずれかであってよい。
上記の式における置換されたアルキル基中の適当な置換基の例は、非置換であるかもしくは置換されたフェニル、非置換であるかもしくは置換されたフェノキシ、カルボキシル、アルキル鎖がエーテル官能基中の１〜４個の酸素原子により中断されていてもよく、且つフェニルもしくはフェノキシにより置換されていてもよいC1−C20−アルコキシカルボニル、またはシアノ、C1−C6−アルカノイルオキシ、C1−C4−アルキルアミノカルボニルオキシもしくはC1−C4−アルコキシカルボニルオキシであり、後者の場合にはアルコキシ基がフェニルもしくはC1−C4−アルコキシにより置換されていてもよい。さらに、一般的には、アルキル基は１もしくは２個の置換基を有する。
上記の式がエーテル官能基中の酸素原子により中断されているアルキル基を含有する場合には、好適なアルキル基はエーテル官能基中の１個もしくは２個の酸素原子により中断されている。
上記の式における置換されたフェニル基の適当な置換基の例は、C1−C4−アルキル、C1−C4−アルコキシ、ハロゲン、特に塩素もしくは臭素、ニトロまたはカルボキシルである。さらに、一般的には、フェニル基は１〜３個の置換基を有する。
適当なＬ、R1、R3、Z1、Z2、Z3、Z4、Z5、Z6およびZ7基の例は、メチル、エチル、プロピル、イソプロピル、ブチル、イソブチル、ｓ−ブチルまたはｔ−ブチルである。
Ｌ、R1、Z1、Z3、Z4、Z6およびZ7基の他の例はペンチル、イソペンチル、ネオペンチル、ｔ−ペンチル、ヘキシル、２−メチルペンチル、ヘプチル、オクチル、２−エチルヘキシルまたはイソオクチルである。
R1基の他の例は、ノニル、イソノニル、デシル、イソデシル、ウンデシル、ドデシル、トリデシル、イソトリデシル、テトラデシル、ペンタデシル、ヘキサデシル、ヘプタデシル、オクタデシル、ノナデシルまたはエイコシルである（イソオクチル、イソノニル、イソデシルおよびイソトリデシルという名称はオキソ合成から得られるアルコール類から誘導される一般名である：（これに関しては、Ullmann's Encyclopedia of Industrial Chemistry,5th edition,Vol.Al,pages 290−293,並びにVol.A10,pages 284および285を参照のこと））。
Ｌ、R1、Z1、Z3、Z4およびZ7基の他の例は、２−メトキシエチル、２−エトキシエチル、２−プロポキシエチル、２−ブトキシエチル、２−もしくは３−メトキシプロピル、２−もしくは３−エトキシプロピル、２−もしくは３−プロポキシプロピル、２−もしくは３−ブトキシプロピル、２−もしくは４−メトキシブチル、２−もしくは４−エトキシブチル、２−もしくは４−ブトキシブチル、3,6−ジオキサヘプチル、3,6−ジオキサオクチル、4,8−ジオキサノニル、3,7−ジオキサオクチル、3,7−ジオキサノニル、4,7−ジオキサオクチル、4,7−ジオキサノニルまたは4,8−ジオキサデシルである。
R1基の他の例は、3,6,9−トリオキサデシル、3,6,9−トリオキサウンデシル、3,6,9,12−テトラオキサトリデシル、3,6,9,12−テトラオキサテトラデシル、メチルチオ、エチルチオ、プロピルチオ、イソプロピルチオ、ブチルチオ、イソブチルチオ、ｓ−ブチルチオ、ペンチルチオ、イソペンチルチオ、ネオペンチルチオ、ｔ−ペンチルチオ、ヘキシルチオ、ヘプチルチオ、１−エチルペンチルチオ、オクチルチオ、イソオクチルチオ、２−エチルヘキシルチオ、ノニルチオ、イソノニルチオ、デシルチオ、イソデシルチオ、ウンデシルチオ、ドデシルチオ、トリデシルチオ、イソトリデシルチオ、テトラデシルチオ、ペンタデシルチオ、ヘキサデシルチオ、ヘプタデシルチオ、オクタデシルチオ、ノナデシルチオまたはエイコシルチオである。
R1、R3、Z3、Z4およびZ6基の他の例は、フェニル、２−、３−もしくは４−メチルフェニル、２−、３−もしくは４−エチルフェニル、２−、３−もしくは４−プロピルフェニル、２−、３−もしくは４−イソプロピルフェニル、２−、３−もしくは４−ブチルフェニル、2,4−ジメチルフェニル、２−、３−もしくは４−メトキシフェニル、２−、３−もしくは４−エトキシフェニル、２−、３−もしくは４−イソブトキシフェニル、2,4−ジメトキシフェニル、２−、３−もしくは４−クロロフェニル、２−、３−もしくは４−ニトロフェニルまたは２−、３−もしくは４−カルボキシフェニルである。
R1、Z3およびZ4基の他の例は、２−カルボキシエチル、２−メトキシカルボキシエチル、ベンジル、１−もしくは２−フェニルエチル、２−、３−もしくは４−メチルベンジル、２−、３−もしくは４−メトキシベンジル、２−、３−もしくは４−クロロベンジル、２−、３−もしくは４−ニトロベンジル、３−ベンジルオキシプロピル、フェノキシメチル、６−フェノキシ−４−オキサヘキシル、８−フェノキシ−４−オキサオクチル、２−シアノエチル、２−もしくは３−シアノプロピル、２−アセチルオキシエチル、２−もしくは３−アセチルオキシプロピル、２−イソブチリルオキシエチル、２−もしくは３−イソブチリルオキシプロピル、２−メトキシカルボニルエチル、２−もしくは３−メトキシカルボニルプロピル、２−エトキシカルボニルエチル、２−もしくは３−エトキシカルボニルプロピル、２−メチルアミノカルボニルオキシエチル、２−メトキシカルボニルオキシエチル、２−もしくは３−メトキシカルボニルオキシプロピル、２−エトキシカルボニルオキシエチル、２−もしくは３−エトキシカルボニルオキシプロピル、２−ブトキシカルボニルオキシエチル、２−もしくは３−ブトキシカルボニルオキシプロピル、２−（２−フェニルエトキシカルボニルオキシ）エチル、２−もしくは３−（２−フェニルエトキシカルボニルオキシ）プロピル、２−（２−エトキシエトキシカルボニルオキシ）エチルまたは２−もしくは３−（２−エトキシエトキシカルボニルオキシ）プロピルである。
Z3およびZ4基の他の例は、シクロペンチル、シクロヘキシル、シクロヘプチル、アリルまたはメタリルである。
Z1基の例は、メチルスルホニルアミノ、エチルスルホニルアミノ、プロピルスルホニルアミノ、イソプロピルスルホニルアミノ、ブチルスルホニルアミノ、モノ−もしくはジメチルアミノスルホニルアミノ、モノ−もしくはジエチルアミノスルホニルアミノ、モノ−もしくはジプロピルアミノスルホニルアミノ、モノ−もしくはジイソプロピルアミノスルホニルアミノ、モノ−もしくはジブチルアミノスルホニルアミノまたは（Ｎ−メチル−Ｎ−エチルアミノスルホニル）アミノである。
Z6基の他の例は、弗素、塩素、臭素、ベンジル、２−メチルベンジル、2,4−ジメチルベンジル、２−メトキシベンジル、2,4−ジメトキシベンジル、メチルアミノ、エチルアミノ、プロピルアミノ、イソプロピルアミノ、ブチルアミノ、ペンチルアミノ、ヘキシルアミノ、ヘプチルアミノ、オクチルアミノ、２−エチルヘキシルアミノ、メチルチオ、エチルチオ、プロピルチオ、イソプロピルチオまたはブチルチオである。
Z1、Z2およびZ6の他の例は、メトキシ、エトキシ、プロポキシ、イソプロポキシ、ブトキシ、イソブトキシ、ｓ−ブトキシまたはｔ−ブトキシである。
Z3およびZ4がそれらを結合する窒素原子と一緒になって他のヘテロ原子を有していてもよい５−もしくは６−員の飽和複素環式基を形成する時には、その適当な例は、ピロリジニル、ピペリジニル、モルホリニル、ピペラジニルまたはＮ−（C1−C4−アルキル）ピペラジニルである。
R4基の例は、メトキシカルボニル、エトキシカルボニル、プロポキシカルボニル、イソプロポキシカルボニル、ブトキシカルボニル、イソブトキシカルボニルまたはｓ−ブトキシカルボニルである。
R3基の他の例は、メトキシメチル、エトキシメチル、２−メトキシエチル、２−エトキシエチル、メトキシカルボニル、エトキシカルボニル、プロポキシカルボニル、ブトキシカルボニル、フルオロメチル、クロロメチル、ジフルオロメチル、ジクロロメチル、トリフルオロメチル、トリクロロメチル、２−フルオロエチル、２−クロロエチル、2,2,2−トリフルオロエチル、ペンタフルオロエチルまたはヘプタフルオロプロピルである。
式Ｉの好適なトリアゾロピリジン染料は、R4がシアノであるものである。
式Ｉの他の好適なトリアゾロピリジン染料は、R3がC1−C4−アルキル、特にメチル、であるものである。
式Ｉの他の好適なトリアゾロピリジン染料は、R1が非置換であるかまたはC1−C6−アルカノイルオキシ、アルキル鎖がエーテル官能基中の１個もしくは２個の酸素原子により中断されていてもよいC1−C8−アルコキシカルボニル、フェニルもしくはC1−C4−アルキルフェニルにより置換されており且つエーテル官能基中の１個もしくは２個の酸素原子により中断されていてもよいC1−C12−アルキル、或いは非置換であるかまたは置換されたフェニルであるものである。
式Ｉの特に好適なトリアゾロピリジン染料は、R1が各々の基の炭素数が12までのアルキル、アルコキシアルキル、アルカノイルオキシアルキルもしくはアルコキシカルボニルアルキル、非置換であるかもしくはメチル−置換されたベンジルまたは非置換であるかもしくはメチル−置換されたフェニルであるものである。
式Ｉの他の特に好適なトリアゾロピリジン染料は、R2が上記の式II a、II cまたはII iの基であり、ここで
Z1が水素、C1−C4−アルキル、C1−C4−アルコキシまたはC1−C8−アルカノイルアミノであり、
Z2が水素、メチル、メトキシまたはエトキシであり、
Z3およびZ4が各々互いに独立して、各々の基の炭素数が12までのアルキル、アルコキシアルキル、アルカノイルオキシアルキルもしくはアルコキシカルボニルアルキル、水素、非置換であるかもしくはメチル−置換されたベンジルまたはフェニルであり、そして
Z6が水素、C1−C8−アルキル、非置換であるかまたはC1−C4−アルキル−もしくはC1−C4−アルコキシ−置換されたフェニル、ベンジルまたはチエニルである。
本発明に従う式Ｉの染料は一般的な方法により製造できる。
例えば、ＸがCHである式Ｉのトリアゾロピリジン染料は、式III
R2−CHO                                  （III）
［式中、R2は上記の意味を有する］のアルデヒド類を式IV a、IV bまたはIV c
0003643595.tif 000008
［式中、R1、R3、R4およびR5は各々上記の意味を有する］のトリアゾロピリジン類と縮合させることにより得られる。
Ｘが窒素である式Ｉのトリアゾロピリジン染料は、例えば、式Ｖ
R2−NO                                    （Ｖ）
［式中、R2は上記の意味を有する］のニトロソ化合物をトリアゾロピリジン類IV a、IV bまたはIV cと縮合させるか、または式VI
R2−NH2                                   （VI）
［式中、R2は上記の意味を有する］のアミノ化合物を該トリアゾロピリジン類と酸化的にカップリングさせることにより得られる。
しかしながら、以前のドイツ特許出願Ｐ  44  03  083.5に記載されている方法に従い、式IV d、IV e、IV f、IV g、IV hまたはIV i
0003643595.tif 000009
［式中、R1、R3、R4およびR5は各々上記の意味を有する］のトリアゾロピリジン類を式VII
R2H                                      （VII）
［式中、R2は上記の意味を有する］の化合物と縮合させることも可能である。
式VIのトリアゾロピリジン類は、例えば、以前の特許出願PCT/EP  94/02233またはUS−A5  101  028に記載されており、或いはそれらはそこに記載されているかまたはさもなければ以前のドイツ特許出願Ｐ  44  03  083.5に記載されている方法により得られる。
本発明はさらに、式Ｉのトリアゾロピリジン染料１種もしくはそれ以上を上に有する担体を使用する方法で、エネルギー源の助けによって拡散または昇華により担体からプラスチック−コーテイング紙に担体から染料を転写する方法にも関する。
本発明による方法に必要な染料担体を製造するためには、式Ｉの染料を適当な有機溶媒または溶媒と１種もしくはそれ以上の結合剤との混合物の中で、助剤を添加してもしくは添加せずに、処理して印刷インキにする。後者は好適には式Ｉの染料を分子分散溶液の形態で含有する。印刷インキはナイフにより不活性担体に適用することができ、そして染料を例えば空気中でまたは空気吹き付け機を用いて乾燥することができる。式Ｉの染料用の適当な有機溶媒の例は、式Ｉの染料の溶解度が20℃において１重量％を超えるもの、好適には５重量％を超えるものである。
例として挙げられるものはエタノール、プロパノール、イソブタノール、テトラヒドロフラン、塩化メチレン、メチルエチルケトン、シクロペンタノン、シクロヘキサノン、トルエン、クロロベンゼンまたはそれらの混合物である。
適当な結合剤は、有機溶媒中に可溶性であり且つ染料混合物を不活性担体に対して耐摩擦方式で結合させうる全ての樹脂または重合体状物質である。このために好ましい結合剤は、印刷インキが空気中で乾いた後に染料混合物の目に見える結晶化なしに染料混合物を透明フィルムの形態で吸収するものである。
そのような結合剤の例は、US−Ａ−５  132  438またはそこに引用された関連特許出願に挙げられている。飽和線状ポリエステル類も挙げられる。
好適な結合剤は、エチルセルロース、エチルヒドロキシエチルセルロース、ポリビニルブチラール、ポリ酢酸ビニル、プロピオン酸セルロースまたは飽和線状ポリエステル類である。
結合剤：染料の重量比は、一般的に1:1〜10:1である。
適当な助剤の例は、US−Ａ−５  132  438またはそこに引用された関連特許出願に挙げられている離型剤である。その他、貯蔵時またはインキリボンの加熱時の転写染料の結晶化を防止する有機添加剤、例えばコレステロールまたはバニリンを特に挙げるべきである。
適当な不活性担体の例はUS−Ａ−５  132  438またはそこに引用された関連特許出願に記載されている。染料担体の厚さは一般的に３−30μｍである。
染料受容層として好適なものは、転写しようとする染料に対する親和力を有する原則的には全ての温度−安定性プラスチック層、例えば改質ポリカーボネート類またはポリエステル類である。
これのさらなる詳細事項は、US−Ａ−５  132  438またはそこに引用された関連特許出願に見られる。
転写は、エネルギー源により、例えばレーザーまたは熱ヘッドにより行われ、染料転写を０＜ｔ＜15ミリ秒の範囲内の時間で行うためには、後者は＞300℃に加熱可能であることが必要である。この間に、染料が転写シートから移動し、そして受容媒体の表面コーテイングの中に拡散する。
本発明に従う式Ｉの染料はその転写において有利な技術的性質を有する。それらはインキリボン中での高い溶解度（結合剤との良好な相容性）、印刷インキ中での高い安定性、良好な転写性、高い像安定性（すなわち良好な光堅牢性および環境影響、例えば水分、温度または化学物質に対する良好な安定性）を示し、そして前から存在する減色原色に対する融通性のある色順応（原色または混合色の最大可能なみばえおよび深い純黒色）を最適の３色印刷の意味で可能とする。
本発明に従う式Ｉの染料は、さらに合成材料、例えばポリエステル類、ポリアミド類またはポリカーボネート類の染色用にも適しており且つ有利である。織物形態の材料、例えばポリエステルまたはポリアミドまたはポリエステル／木綿配合物から製造された繊維、糸、撚糸、ニット布、織物または不織布を特に挙げるべきである。
式Ｉの新規な染料は、さらに例えばEP−Ａ  399  473に記載されているようなカラーフィルターの製造用にも適しており且つ有利である。
最後に、それらは電子写真用トナーの製造用の着色剤としても有利に使用することができる。
下記の実施例は、本発明を説明するものである。
Ａ）製造
実施例１
２−ジブチルアミノ−４−フェニル−５−ホルミルチアゾール17.8gおよび式
0003643595.tif 000010
のトリアゾロピリドン10.8gを30mlの無水酢酸に加えた。混合物を５分間還流させ、そして次に室温に冷却した。生じた式
0003643595.tif 000011
の染料を吸引濾別し、メタノールで洗浄し、そして乾燥させた。（収量:20.9g;λmaxCH2Cl2中:561nm;融点:202℃）
実施例２
３−メチル−Ｎ−ブチル−Ｎ−エチルアニリン9.6gを50mlの水および25mlの濃塩酸の中に溶解させ、そして０〜５℃に冷却した。20mlの23重量％亜硝酸ナトリウム水溶液をこれに滴加し、そして混合物を０〜５℃において２時間撹拌した。
この方法で得られたニトロソ化合物を25重量％水性アンモニアを用いてpH8に調節し、そして酢酸エチルと共に振ることにより抽出した。
有機相を実施例１に記載のトリアゾロピリドン14.7gと無水酢酸30mlとの混合物の中に加えた。次に内部温度が100℃に達するまで酢酸エチルを蒸発させた。混合物を次に室温に冷却した。生じた沈澱を吸引濾別し、メタノールで洗浄し、そして乾燥させて、式
0003643595.tif 000012
の染料14.9gを産出した。（λmaxCH2Cl2中:676nm、テトラヒドロフラン（THF）中:661nm）
実施例３
２−ジブチルアミノ−４−フェニル−５−ホルミルチアゾール9.8gおよび式
0003643595.tif 000013
のトリアゾロピリドン10.8gを無水酢酸25mlに加えた。混合物を15分間還流させ、そして次に室温に冷却した。生じた式
0003643595.tif 000014
の染料を吸引濾別し、メタノールで洗浄し、そして乾燥させた。（収量:9.3g;λmaxTHF中:563nm;融点212℃）
実施例４
３−ジエチルアミノ−Ｎ−アセチルアニリン5.8gを濃塩酸100mlの中に溶解させ、そして０〜５℃に冷却した。23重量％亜硝酸ナトリウム水溶液9mlをこれに滴加し、そして混合物を０〜５℃において２時間撹拌した。
この方法で得られたニトロソ化合物を25重量％水性アンモニアを用いてpH8に調節し、そして酢酸エチルと共に振ることにより抽出した。
有機相を濃縮させ、350mlのメタノールの中に加え、そして5gのラネーニッケルと混合した。次に水素を注入した。水素の吸収が止んだ後に、触媒を濾別し、そして溶液を濃縮した。
生じた濃縮溶液を式
0003643595.tif 000015
のトリアゾロピリドン6.6g、エタノール50mlおよび酢酸エチル50mlの混合物に加えた。
この混合物に、まず水50ml中の酢酸ナトリウム（無水）4.1gの溶液を加え、そして引き続き水50ml中のペルオキソ二硫酸アンモニウム5.7gの溶液を滴加した。混合物を室温で１時間撹拌し、そして次に生成物を吸引濾別し、エタノールおよび水で洗浄し、そして乾燥させて、式
0003643595.tif 000016
の染料5.22gを産出した。（λmaxCH2Cl2中:647nm、THF中:636nm;融点:201℃）
実施例５
ａ）式
0003643595.tif 000017
の化合物40.8gを氷酢酸900ml中に100℃で溶解させた。溶液を50℃に冷却し、そして480mlの濃塩酸を加えた。次に、０〜５℃において、48mlの23重量％亜硝酸ナトリウム水溶液を滴加し、そして混合物を、０〜５℃において３時間撹拌した。それを引き続き３リットルの水の中に放出し、そして生成物を吸引濾別し、水で洗浄し、そして乾燥させて、式
0003643595.tif 000018
の物質40.8gを産出した。
ｂ）86.5重量％の２−（ジ−sec−ブチルアミノ）−４−フェニルチアゾール8.3gおよびａ）に記載された化合物7.5gを氷酢酸10mlおよびプロピオン酸10mlの中で15分間還流させた。冷却後に、反応混合物をシリカゲル上で（移動相：トルエン／酢酸エチル2:2容量／容量）精製して、式
0003643595.tif 000019
の染料7.53gを産出した。（λmaxTHF中:617nm;融点:165℃）
以下に挙げられている染料が前記実施例と同様な方法で得られた：
0003643595.tif 000020
0003643595.tif 000021
0003643595.tif 000022
0003643595.tif 000023
0003643595.tif 000024
0003643595.tif 000025
0003643595.tif 000026
0003643595.tif 000027
0003643595.tif 000028
0003643595.tif 000029
0003643595.tif 000030
0003643595.tif 000031
0003643595.tif 000032
0003643595.tif 000033
Ｂ）染料転写
一般的方法
ａ）染料10gを、有利に、短時間80〜90℃で加熱し、メチルエチルケトン／トルエン／シクロヘキサノン混合物（4.5:2:2v/v/v）中の結合剤の10％溶液100g中に撹拌導入する。
この印刷インキを、６μｍナイフを用いて、裏側に適当な非粘凋性層が付与されている厚さ６μｍのポリエステルシート上に適用し、空気吹き付けにより１分間乾燥させる。残留溶媒が印刷法を害することがありうるので、このインキリボンを印刷のために使用する前に、これを空気中で少なくとも24時間乾燥させるべきである。
ｂ）このインキリボンを、市販のサーマルヘッドを備え、コンピュータ制御された試験装置中で、市販のビデオ印刷紙（Hitachi  type  VY−Ｓ）上での印刷のために使用する。
このサーマルヘッドの熱量を電圧変更により制御し、パルス時間を、7msにセットし、各時間に１パルスのみを放出させる。熱量は0.7〜2.0mJ/dotである。
着色のレベルは、適用熱量に正比例するので、カラー楔が形成され、分光的に分析できる。
Ｑ＊（吸光１のためのエネルギーmJ）及び1/mJにおける勾配ｍは、加熱エレメント当たりの供給された熱量に対する色の濃さのグラフから得られる。
結果を次の第４表中に挙げる。
（Ｑ＊及びｍに関するデータにおいて、最初の値は、各々の場合にポリエステル−ベースの結合剤に関し、第２のものは、各々の場合にポリビニルブチラール−ベースの結合剤に関する）
0003643595.tif 000034
0003643595.tif 000035
ｃ）染色のための使用
ポリエステル布10gを、50℃で、ポリエステル布に対してＸ重量％の染料を含有し、そのpHが酢酸により4.5に調整された染液200mlに添加する。50℃で５分間の処理の後に、この液の温度を30分かかって130℃まで高め、この温度を60分間保持し、次いで20分かかって60℃まで冷却する。
次いで、染色されたポリエステル布を32重量％水酸化ナトリウム液5ml/l、亜ジチオン酸ナトリウム3g/l及びエチレンオキサイド48モルとヒマシ油１モルとの付加生成物1g/lを含有する液200ml中で、65℃で15分間処理することにより還元的に洗浄する。最後に、この布をすすぎ、希酢酸で中和し、再びすすぎ、乾燥させる。
染料５、７、17及び27は、それぞれ0.25重量％の量（Ｘ）で使用した。各々の場合に、高い輝度及び昇華に対する優れた堅牢性を有する帯緑青色染色が得られた。
染料１、10及び21は、それぞれ0.35重量％の量（Ｘ）で使用した。各々の場合に、良好な使用特性を有する菫色染色が得られた。